(57)【特許請求の範囲】
【請求項１】
ロードバー（３００）を自動車上に支持するためのロードキャリア脚（２）であって、該ロードキャリア脚（２）は、該ロードキャリア脚（２）を前記自動車に連結するためのロードキャリアブラケット（７００）を受けるように形成されたホルダ（６）を備え、該ホルダ（６）は、前記ロードキャリアブラケット（７００）を部分的に収容するように構成された収容空間（６３０）を形成したスリーブ部（６００）を備えているロードキャリア脚（２）。
【請求項２】
少なくとも前記スリーブ部（６００）は、金属シートを曲げることによって一体的に形成され、且つ重ね合わせセクション（６０１）を備え、該重ね合わせセクションにおいて、曲げられた前記金属シートの２つの結合セクション（６１２、６１４）が重ねられており、
前記重ね合わせセクション（６０１）は、好適に四角形または台形である、請求項１に記載のロードキャリア脚（２）。
【請求項３】
前記結合セクション（６１２、６１４）は、少なくとも２つの結合部（６０４）において材料成形によって、好適にクリンチまたは溶接によって結合されている、請求項２に記載のロードキャリア脚（２）。
【請求項４】
前記スリーブ部（６００）は、前記収容空間（６３０）が、長手方向において前記ホルダ（６）の上部（６３）に向かってテーパ状になるように形成されている、請求項２または３に記載のロードキャリア脚（２）。
【請求項５】
前記重ね合わせセクション（６０１）は、前記スリーブ部（６００）の外壁（６０２）を形成し、前記スリーブ部（６００）は、内壁（６０３）および２つの側壁（６０５）をさらに備え、少なくとも前記側壁（６０５）は、テーパ状の前記収容空間（６３０）を形成するために、前記長手方向に対して傾斜している、請求項４に記載のロードキャリア脚（２）。
【請求項６】
前記スリーブ部（６００）は、前記内壁（６０３）に形成された連結部（６１）を備え、該連結部（６１）は、該連結部（６１）に押圧力を加えるための締付部材（８）を支持するように構成された収容凹部（６０７）として好適に形成され、該収容凹部（６０７）は好適に湾曲面である支持面（６０８）、および前記締付部材（８）の一部が前記内壁（６０３）を通過するための開口部（６０９）を好適に備えている、請求項５に記載のロードキャリア脚（２）。
【請求項７】
前記スリーブ部（６００）は、該スリーブ部（６００）の上開口部（６１５）を少なくとも部分的に形成した上端縁部（６１９）を備え、該上端縁部（６１９）は、前記ロードキャリアブラケット（７００）と係合するように構成されている、請求項１から６のいずれか一項に記載のロードキャリア脚（２）。
【請求項８】
前記上端縁部（６１９）は、凸型に形成されている、請求項７に記載のロードキャリア脚（２）。
【請求項９】
好適にバネ要素である付勢部材（６４０）をさらに備え、該付勢部材は、ロードキャリアブラケット（７００）のホルダ係合セクション（７１０）に前記上端縁部（６１９）に向けた押圧力を加えるように構成されており、前記付勢部材（６４０）は、前記収容空間（６３０）内に好適に配置されている、請求項７または８に記載のロードキャリア脚（２）。
【請求項１０】
前記ホルダ（６）は、前記スリーブ部（６００）の下開口部（６２２）を少なくとも部分的に形成した下端縁部（６２１）を備え、該下端縁部（６２１）は前記ロードキャリアブラケット（７００）と接触して、前記ロードキャリアブラケット（７００）に押圧力を伝達するように構成されている、請求項１から９のいずれか一項に記載のロードキャリア脚（２）。
【請求項１１】
請求項１から１０のいずれか一項に記載のロードキャリア脚（２）、および該ロードキャリア脚（２）を自動車に連結するためのロードキャリアブラケット（７００）を備えたロードキャリアであって、前記ロードキャリアブラケット（７００）は、自動車係合セクション（７２０）およびトラフ形状の連結部（７３０）を備え、該トラフ形状の連結部（７３０）は、前記自動車係合セクション（７２０）から前記ロードキャリアブラケット（７００）の長手方向に延びており、且つ前記ロードキャリア脚（２）のホルダ（６）と係合可能なホルダ係合セクション（７１０）を備えている、ロードキャリア。
【請求項１２】
前記トラフ形状の連結部（７３０）は、狭窄端部に形成された前記ホルダ係合セクション（７１０）を備えた漏斗形状であり、および／または前記トラフ形状の連結部（７３０）は、自身の長手方向において連続的に凸型に形成され、前記ロードキャリア脚（２）の前記ホルダ（６）からの力を受けるように形成された外表面（７０２）を備えている、請求項１１に記載のロードキャリア。
【請求項１３】
前記トラフ形状の連結部（７３０）は、前記ブラケット（７００）の略全長にわたって延び、および／または少なくとも部分的に箱形状を有し、好適に２つの側壁（７１４）および該２つの側壁（７１４）に略直交して配置された底壁（７１６）を備えている、請求項１１または１２に記載のロードキャリア。
【請求項１４】
前記自動車係合セクション（７２０）の自由端（７２４）は、前記トラフ形状の連結部（７３０）の長手延伸方向に対して傾斜されているか、または略直交した方向において、前記ロードキャリアブラケット（７００）から一側に突出しており、前記トラフ形状の連結部（７３０）は、前記自動車係合セクション（７２０）の自由端が前記ロードキャリアブラケットから突出した側とは反対の前記ロードキャリアブラケット（７００）の側に設けられた膨らみを提供し、および／または前記トラフ形状の連結部（７３０）は、前記膨らみを一方向のみに提供し、前記膨らみは、好適に連続的なおよび／または中断の無い膨らみである、請求項１１から１３のいずれか一項に記載のロードキャリア。
【請求項１５】
前記ホルダ係合セクション（７１０）は、前記ロードキャリアブラケット（７００）が前記ホルダ（６）にフックされることが可能であるように構成されており、前記ホルダ係合セクション（７１０）は、好適に２つのフック（７１２）を備えている、請求項１１または１２に記載のロードキャリア。
【請求項１６】
前記フック（７１２）および前記自動車係合セクション（７２０）の自由端（７２４）は、前記ロードキャリアブラケット（７００）の同じ側から突出し、および／または前記フック（７１２）は、該フックが前記スリーブ部（６００）の上端縁部（６１９）と係合するように構成されており、好適に前記フックは、前記上端縁部（６１９）の支持面（６２０）と接触することが可能である、請求項１５に記載のロードキャリア。
【請求項１７】
前記ロードキャリアブラケット（７００）は、前記収容空間（６３０）内に部分的に収容されて、且つ前記ホルダ（６）と解除可能に係合されており、前記ロードキャリア脚（２）は、好適に前記ホルダ（６）の内壁（６０３）と前記ロードキャリアブラケット（７００）との間の前記収容空間（６３０）内に配置された、締付部材操作部（８１）を備えた締付部材（８）をさらに備え、前記ホルダ（６）および前記ロードキャリアブラケット（７００）は、前記締付部材操作部（８１）への工具のアクセスを提供するように構成されたアクセス開口部（６５０、７５０）を好適に備えている、請求項１１から１６のいずれか一項に記載のロードキャリア。
【請求項１８】
ロードキャリア脚（２）を自動車に連結するためのロードキャリアブラケット（７００）であって、該ロードキャリアブラケット（７００）は、自動車係合セクション（７２０）およびトラフ形状の連結部（７３０）を備え、該トラフ形状の連結部（７３０）は、前記自動車係合セクション（７２０）から前記ロードキャリアブラケット（７００）の長手方向に延びており、且つ前記ロードキャリア脚（２）のホルダ（６）と解除可能に係合可能なように構成されたホルダ係合セクション（７１０）を備え、前記トラフ形状の連結部（７３０）は、自身の長手方向において連続的に凸状に形成されており、これにより前記トラフ形状の連結部（７３０）の外表面（７０２）により大きい力を与えることが可能である、ロードキャリアブラケット（７００）。
【請求項１９】
前記トラフ形状の連結部（７３０）は、狭窄端部に形成された前記ホルダ係合セクション（７１０）を備えた漏斗形状である、請求項１８に記載のロードキャリアブラケット（７００）。
【請求項２０】
前記トラフ形状の連結部（７３０）は、前記ブラケット（７００）のほぼ全長にわたって延び、ならびに／または２つの側壁（７１４）および該側壁（７１４）に略垂直に配置された底壁（７１６）を好適に備えた箱形状を少なくとも部分的に有する、請求項１８または１９に記載のロードキャリアブラケット（７００）。
【請求項２１】
前記自動車係合セクション（７２０）の自由端（７２４）は、前記トラフ形状の連結部（７３０）の長手延伸方向に対して傾斜した、または略直交した方向において、前記ロードキャリアブラケット（７００）から一側に突出しており、前記トラフ形状の連結部（７３０）は、前記自動車係合セクション（７２０）の自由端（７２４）が前記ロードキャリアブラケットから突出した側とは反対側の、前記ロードキャリアブラケット（７００）の一側に設けられた膨らみを提供しており、および／または前記トラフ形状の連結部（７３０）は、一方向のみにおいて前記膨らみを提供しており、前記膨らみは、好適に連続的なおよび／または中断されていない膨らみである、請求項１８から２０のいずれか一項に記載のロードキャリアブラケット（７００）。
【請求項２２】
前記ホルダ係合セクション（７１０）は、前記ロードキャリアブラケット（７００）が前記ホルダ（６）にフックされることが可能であるように構成されており、前記ホルダ係合セクション（７１０）は、好適に２つのフック（７１２）を備えている、請求項１８から２１のいずれか一項に記載のロードキャリアブラケット（７００）。
【請求項２３】
前記フック（７１２）および前記自動車係合セクション（７２０）の自由端（７２４）は、前記ロードキャリアブラケット（７００）の同じ側から突出しており、および／または前記フック（７１２）は、スリーブ部（６００）の上端縁部（６１９）と係合可能であるように構成されており、好適に前記フックは、前記上端縁部（６１９）の支持面６２０と接触するようになることが可能である、請求項２２に記載のロードキャリアブラケット（７００）。
【請求項２４】
前記ロードキャリア脚（２）のホルダ内に挿入可能な上部（７０１）をさらに備え、該上部（７０１）は、前記フック（７１２）を前記ホルダ（６）との係合のための位置へと移動するための方向に、前記ホルダ係合部（７１０）を押圧するための押圧力を受容するように構成されている、請求項２２または２３に記載のロードキャリアブラケット（７００）。
【発明の詳細な説明】
【技術分野】
【０００１】
本発明は、自動車上にロードバーを支持するためのロードキャリア脚、ロードキャリア脚を自動車に連結するためのロードキャリアブラケット、ならびにロードキャリア脚およびロードキャリアブラケットを備えたロードキャリアに関する。
【背景技術】
【０００２】
ロードキャリア脚は、原則的に多くのロードキャリアシステムの部品である。特に、ロードキャリア脚は、ロードキャリアシステムの特有の部品であり、システム内において、ロードバーは自動車の屋根に固定される。
【０００３】
ロードキャリア脚を固定するためのルーフレールを備えていない自動車に使用されるように特別に設計された、ロードキャリア脚が存在する。そのようなロードキャリア脚は、一般的に自動車のボディの一部を把持することが可能な固定ブラケットを用いて、自動車に連結される。各ロードキャリア脚は、固定ブラケットを締め付けるための機構を備え、それによりロードキャリア脚を自動車の屋根にクランプさせる。自動車の寸法は多様であり、したがって、ロードキャリアシステムが異なった自動車の寸法に適合される必要があることも知られている。
【０００４】
既知の問題は、自動車の屋根上におけるロードキャリア脚の位置が、自動車によって変化することである。この問題に対処するために、多様なロードキャリアブラケットとともに使用されることが可能なロードキャリア脚を使用することが知られている。このように、多様な自動車のタイプのためのロードキャリアブラケットを製造することが可能であり、一方でロードキャリア脚の大部分の部品は、変化されないままとすることが可能である。ロードキャリアブラケットは、大きい力を伝達し、且つロードキャリア脚に確実に連結される必要がある。しかしながら、ロードキャリアブラケットの既知のロードキャリア脚との連結は、頻繁に面倒なものとなる。ロードキャリア脚は、大きい力をロードキャリアブラケットに伝達可能である必要がある。
【発明の概要】
【発明が解決しようとする課題】
【０００５】
改良されたロードキャリア脚および改良されたロードキャリアブラケットを提供することが、本発明の目的である。
【課題を解決するための手段】
【０００６】
その目的は、独立請求項１によるロードキャリア脚、請求項１１による、および／または以下の概要によるロードキャリアブラケットによって解決される。有利なさらなる形式は、従属請求項に記されており、特別なさらなる改良が以下の概要からさらに収集されることが可能である。
【０００７】
第１態様によれば、ロードバーを自動車上に支持するためのロードキャリア脚が提供される。ロードキャリア脚は、ロードキャリア脚を自動車に連結するためのロードキャリアブラケットを受けるように形成されたホルダを備えている。ホルダは、ロードキャリアブラケットを部分的に収容するように構成された収容空間を形成したスリーブ部を備えている。
【０００８】
スリーブ部は、システムに作用する力に、より良好に耐える三次元構造を形成している。ホルダがスリーブ部を備えているので、ブラケットの全体強度は増強されている。したがって、ホルダはより大きい力に耐えることが可能である。したがって、ホルダは、より大きい力をロードキャリアブラケットのような他の要素に伝達することが可能である。このように、ホルダを通じてロードキャリアブラケットを締め付けるために必要なすべての力を伝達することが可能である。
【０００９】
スリーブ部は箱形状を有することが可能であり、外壁、内壁、および２つの側壁を備えることが可能である。
【００１０】
好適に、少なくともスリーブ部は、金属シートを曲げることによって一体的に形成され、且つ好適に重ね合わせセクションを備え、重ね合わせセクションにおいて、曲げられた金属シートの２つの結合セクションが重ねられている。重ね合わせセクションは、好適に四角形または台形である。
【００１１】
スリーブ部を一体的に形成し、および／または重ね合わせ部を設けることにより、ホルダの強度はさらに増大する。
【００１２】
結合セクションは、少なくとも２つの結合部において材料成形によって、好適にクリンチまたは溶接によって結合されている。
【００１３】
結合セクションを少なくとも２つの結合部において材料成形を通じて結合することにより、ホルダの強度は、追加の部品を使用することなく増大されている。
【００１４】
スリーブ部は、収容空間が、ホルダの上部に向かった長手方向においてテーパ状になるように好適に形成されている。換言すると、スリーブ部は、広い下端部と狭い上端部とを備えた漏斗形状に形成されることが可能である。
【００１５】
そのような構成は、より広い部分がスリーブ部の挿入側に対応できるので、ロードキャリアブラケットの挿入が簡素化される利点を有する。さらに、そのような構成は、ロードキャリアブラケットの旋回動作のための空間を提供する。
【００１６】
好適に、重ね合わせセクションは、スリーブ部の外壁を形成している。スリーブ部は、内壁および２つの側壁をさらに備えている。少なくとも側壁は、テーパ状の収容空間を形成するために、長手方向に対して傾斜されることが可能である。
【００１７】
このように、スリーブ部の外壁は、スリーブ部の他の壁と比較してより高強度を有し、追加的にロードキャリアブラケットへの力伝達に関して外壁を適格なものとしている。
【００１８】
好適に、スリーブ部は、内壁に形成された連結部を備えている。連結部は、連結部に押圧力を加えるための締付部材を支持するように構成された収容凹部として形成されることが可能である。収容凹部は、支持面を備えることが可能である。支持面は、湾曲面とすることが可能である。さらに、収容凹部は、締付部材の一部が内壁を通過するための開口部を備えることが可能である。
【００１９】
スリーブ部の内壁に連結部を設けることにより、スリーブ部、したがってホルダを締め付け方向に付勢するために、スリーブ部の内壁に力を加えることが可能である。そのような構成を伴って、締付部材から受ける締付力は、スリーブ部に直接加えられ、ロードキャリアブラケットには加えられない。換言すると、締付力は、ホルダを用いてロードキャリアブラケットのみに加えられることが可能である。締付部材がロードキャリアブラケットに直接支持されないので、ブラケットは、締付部材を正確に支持することが可能な、特別に形成された支持セクションまたはシートセクションを備える必要がない。
【００２０】
支持面は、締付部材を直接支持するように構成されることが可能である。中間部材を使用して、締付部材を支持面に間接的に支持することも可能である。
【００２１】
好適に、スリーブ部は、スリーブ部の上開口部を少なくとも部分的に形成した上端縁部を備えている。上端縁部は、ロードキャリアブラケットと係合するように構成されている。
【００２２】
ロードキャリアブラケットとの係合のための上端縁部を設けることにより、簡素且つ信頼性の高い係合手段が設けられている。
【００２３】
好適に、上端縁部は、凸型に形成されている。
【００２４】
上端縁部を凸型に形成することは、そこにフックされるロードキャリアブラケットが、締付工程の際に上端縁部に沿って移動することを可能にしている。さらに、ロードキャリアブラケットが、スリーブ部内においてわずかに傾斜して配向された場合、締付力は、上端縁部を通じてロードキャリアブラケットに確実に伝達されることが可能である。
【００２５】
好適に、ロードキャリア脚は、ロードキャリアブラケットの係合セクションに前記上端縁部に向かった押圧力を加えるように構成された付勢部材を備えている。付勢部材は、バネ要素とすることが可能である。付勢部材は、収容空間内に配置されることが可能である。
【００２６】
付勢部材の存在は、ロードキャリアブラケットが自動的に上端縁部に引っ掛かり、これによりロードキャリアブラケットが上端縁部に確実にフックされる構成を導いている。さらに、付勢部材は固定デバイスとして作用し、使用者がロードキャリアブラケットに力を加えて、付勢部材の付勢力に対抗してロードキャリアブラケットを移動させない限り、ロードキャリアブラケットは、上端縁部に確実にフックされたままである。ブラケットが収容空間内に挿入されていない状態においては、付勢部材は負荷を加えられないか、またはすでに予備張力をかけられた状態とされることが可能である。
【００２７】
好適に、ブラケットホルダは、スリーブ部の下開口部を少なくとも部分的に形成した下端縁部を備えている。下端縁部はロードキャリアブラケットと接触して、ロードキャリアブラケットに押圧力を伝達するように構成されている。
【００２８】
ホルダのスリーブ形状により、より大きい力が、ホルダの下端縁部を通じて伝達されることが可能である。
【００２９】
ロードキャリア脚は、特にロードバーを支持するために設計されることが可能である。ロードキャリア脚は支持部材を備え、支持部材はロードキャリア脚の後カバーであり、すなわちロードキャリア脚が自動車に装着された場合、自動車の側部に配置されるか、または自動車の中央に向けられるカバーである。ロードキャリア脚は、自動車の屋根に接触し且つ自動車の屋根に荷重を伝達するための脚パッドを備えることが可能である。支持部材、例えば後カバーは移動可能に、例えば回転可能に脚パッドに支持されることが可能である。より正確には、支持部材の下部は、特に脚パッドの上側に支持されるように設計されることが可能である。さらに、支持部材は、その上にロードバーを支持するように構成されることが可能である。換言すると、支持部材の上部は、その上にロードバーを支持するように構成されることが可能である。したがって、支持部材または後カバーは、脚パッド上のロードバーから受ける荷重を伝達することが可能である。このように、ロードバーによってロードキャリア脚に加えられる垂直力の大部分は、支持部材を用いて脚パッドに直接伝達される。その構成は、脚パッドのみが支持部材、例えば後カバーからの力を受けることを可能にしている。
【００３０】
さらなる態様によれば、ロードキャリア脚を自動車に連結するためのロードキャリアブラケットが提供される。ロードキャリアブラケットは、自動車係合セクションおよびトラフ形状の連結部を備えている。トラフ形状の連結部は、自動車係合セクションからロードキャリアブラケットの長手方向に延びており、且つロードキャリア脚のホルダと係合可能なホルダ係合部を備えている。
【００３１】
前述の方法において、ロードキャリアブラケットを三次元的に形成することにより、ロードキャリアブラケットの剛性および強度は増大されている。
【００３２】
好適に、トラフ形状の連結部は、狭窄端部に形成されたホルダ係合部を備えた漏斗形状である。加えて、またはその代わりに、トラフ形状の連結部は、自身の長手方向において連続的に凸型に形成され、ロードキャリア脚のホルダからの力を受けるように形成された外表面を備えている。
【００３３】
連続的に凸型に形成されたトラフ形状の連結部を設けることにより、連結部の外側に、例えば前述のホルダの下端縁部を用いてより大きい力を加えることが可能である。
【００３４】
好適に、トラフ形状の連結部は、ブラケットの略全長にわたって延びている。加えて、またはその代わりに、トラフ形状の連結部は、少なくとも部分的に箱形状を有する。例えば、トラフ形状の連結部は、２つの側壁および２つの側壁に略直交して配置された底壁を備えることが可能である。
【００３５】
後者の構成を伴って、ロードキャリアブラケットの剛性および強度は、なおさら増大されている。
【００３６】
好適に、ホルダ係合セクションは、ロードキャリアブラケットがホルダにフックされることが可能であるように構成されている。ホルダ係合セクションは、２つのフックを備えている。
【００３７】
さらなる態様によれば、これまでに記載されたようなロードキャリア脚、およびこれまでに記載されたようなロードキャリアブラケットを備えたロードキャリアが開示されている。ロードキャリアブラケットは、収容空間内に部分的に収容されており、ホルダと解除可能に係合されている。ロードキャリア脚は、ホルダの内壁とロードキャリアブラケットとの間の収容空間内に配置された、締付部材操作部を備えた締付部材をさらに備えている。ホルダおよびロードキャリアブラケットは、締付部材操作部への工具のアクセスを提供するように構成されたアクセス開口部を備えている。
【００３８】
ロードキャリアは、ロードキャリア脚に連結されたロードバーを備えることが可能である。ロードキャリア脚は、前述のホルダを備えることが可能である。さらに、前述のロードキャリアブラケットは、ホルダ内に挿入されることが可能である。ロードキャリア脚は脚パッドを備えることが可能であり、脚パッドは、ロードキャリアが装着された場合に、自動車の屋根と接触するようになる。ホルダは、ロードキャリア脚の締付機構と操作可能に連結されることが可能である。締付機構は、締付部材によって操作されることが可能である。締付機構は、締付部材が操作された場合に、ホルダの移動を生じさせ、ロードバーをロードキャリア脚に確実にロックするためのロック機構を操作するように構成されることが可能である。
【００３９】
ロック機構は、ロードバーをロードキャリア脚の支持部にクランプするように構成されることが可能であり、支持部は後カバーの一部とすることが可能である。支持部は、ロードキャリア脚の後カバーの一体的な部分とすることが可能である。後カバーは、自身上にロードバーを支持するための支持部材として見なされることも可能である。支持部は、後カバーに形成された支持面を備えることが可能である。したがって、後カバーは、ロードバーを支持するためのサポートとして作用することが可能である。換言すると、ロードバーは、後カバーの上部に支持されることが可能である。後カバーは、脚パッド上に支持されることが可能である。より正確には、後カバーは、脚パッドと係合する連結部を備えることが可能である。脚パッドは、自動車の屋根に接触するように形成されて、自動車の屋根に荷重を伝達することが可能である。後カバーは移動可能に、例えば回転可能に脚パッド上に支持されることが可能である。より正確には、後カバーの下部は、脚パッドの上側に支持されるように特に設計されることが可能である。したがって、後カバーは、ロードバーから受けた荷重を脚パッドに伝達することが可能である。このように、ロードバー上のロードキャリアによってロードキャリア脚に加えられた垂直力の大部分は、後カバーを用いて脚パッドに直接伝達される。その構成は、脚パッドが後カバーからの力のみを受けるようにすることが可能である。
【００４０】
さらに、本発明は調節手段を備えたルーフラック脚に関する。ルーフラック脚は、任意の前述の実施形態によるロードキャリア脚であってよい。例えばクロスバーのような、ルーフラックのプロファイル要素は、ルーフラック脚を通じて取り付けられてもよい。例えば、ルーフラックのプロファイル要素は、自動車の屋根または自動車の積載領域に取り付けられてもよい。ルーフラック脚は、第１および第２クランプ部を備えていてもよく、これらは調節手段を通じて互いに対して調節され、それらの間に、自動車の屋根に接続されたルーフレールまたは他の任意の要素をクランプしてもよい。クランプ部によって生じるクランプ力は、調節手段を調節することによって調節されてもよい。調節手段は、外ネジを有するボルトを備えている。外ネジは、ボルトの一部に沿ってまたはボルトの全長に沿って形成されてもよい。さらに、ボルトの周方向において、外ネジは、ボルトの周の一部のみに沿って、または全周に沿って形成されてもよい。外ネジは、例えば右ネジもしくは左ネジのような任意のタイプのネジであり、および／またはメートル単位であり、および／または他のタイプのネジであってもよく、台形ネジおよび／または角ネジとして形成されてもよい。
【００４１】
加えて、ルーフラック脚の調節手段はバレルナットを備え、このナットは好適に円筒ナット、すなわち円形断面を備えたナットとして形成されている。バレルナットは、好適に対称の軸を示したバレル軸を備えている。円形断面である一方で、バレルナットが多角形、および／または他の任意のタイプの断面を備えていることも考えられる。バレルナットは、バレル軸に対して傾斜した、好適にバレル軸に直交した貫通ネジ穴を備えている。貫通ネジ穴は、バレル軸に沿ってバレルナットの中心に形成されてもよい。貫通ネジ穴は、完全にバレルナットを通じて延びてもよく、好適にバレルナットのバレル軸と交差してもよい。貫通ネジ穴の内ネジは、自由な構成を有し得るが、ボルトの外ネジに合致している。特に、ボルトおよびバレルナットは互いに合致しており、これによりバレルナットは、貫通ネジ穴を通じてボルトの外ネジにねじ込まれ得る。ボルトをバレルナット内にねじ込むことにより、ボルトおよびバレルナットは、互いに対して直動的に調節され得る。
【００４２】
加えて、本発明のルーフラック脚の調節手段は、ボルトとバレルナットとの間のねじ接続の緩みを防止するためのロック機構を備えている。ロック機構は、そのような緩みを完全に防止するか、または単に緩みを弱くもしくは緩みを遅延させるように構成されてもよい。
【００４３】
本発明は、高い信頼性を備えたルーフラック脚を提供している。ロック機構を通じて、ルーフラック脚の自動車の屋根へのクランプのために使用されるクランプ手段の緩みは、防止され得る。特に、このことは、ルーフラック脚がその意図された操作の際に周期的に曝される振動と共に可能となる。
【００４４】
一実施形態によれば、ロック機構はバレルナットのボアを備え、このボアは貫通ネジ穴に至っている。ボアは貫通ネジ穴と直接当接しており、これにより空間的接続が、ボアと貫通ネジ穴との間に形成されている。特に、ボアはバレル軸に沿って延びている。一実施形態によれば、ボアは貫通ネジ穴に直交して延びている。ねじ接続の緩みを防止するためのロック要素は、ボア内に移動可能に設けられている。ロック要素は、バネ要素を通じて貫通ネジ穴に向かって付勢されてもよい。この実施形態のルーフラック脚を伴って、追加の部品が、安全機構を提供するために必要とされるのではなく、ロック機構は既存の部品に適合させることによって提供される。このことは、ルーフラック脚の部品の全数を減少させている。さらに、プラスチックまたはそのような摩耗の影響を受けやすい材料が使用されていないため、本発明のロック機構は低摩耗性である。
【００４５】
別の実施形態によれば、ボアは、貫通ネジ穴から見て外方を向いた端部において、クリンチによって狭められており、これは、ロック要素および／またはバネがボアから脱落することを防止するためである。クリンチを用いて、ボアの直径は減少されるのみであるか、または完全に閉じられることが可能である。クリンチを用いて、ロック要素は、特に簡素且つコスト効果の高い様式により、バレルナットに統合されることが可能である。クリンチは、ルーフラック脚の調節手段の容易な製造を可能にしている。
【００４６】
一実施形態によれば、ロック要素はボールとして形成されている。しかしながら、他のデザインのロック要素が、これに関して考えられる。この実施形態においては、ボアは狭窄部を備えてもよく、ボアの直径は、例えばボア軸に沿って線形に減少されている。しかしながら、ここで段付きの狭窄部および／または非線形の連続的な狭窄部も考えられる。例えば、狭窄部は円錐形状を有してもよい。特に、狭窄部はロック要素に適合した形状を備えている。例えば、ロック要素がボールである場合、狭窄部は、ボールの断面に適合した円形セグメントの形状の狭窄部を備えていてもよい。この実施形態においては、狭窄部は貫通ネジ穴に隣接して、好適には直接隣接して形成されている。狭窄部は、ボールがボアから脱落することを防止することを可能にし、同時にボールが貫通ネジ穴内に空間的に貫入することが可能であるように設計されている。したがって、前述のネジ接続の緩みを防止するためのロック機構は、特に簡素に、信頼性高く、およびコスト効果の高い様式において設けられ得る。
【００４７】
一実施形態によれば、ロック機構は、ボルトに形成されたくぼみを備えている。くぼみは、溝またはノッチであってよい。しかしながら、例えばスロットおよび／または円形の凹部のような、任意の他のタイプのくぼみが、これに関して考えられる。特に、くぼみはボルトの軸に沿って延びた溝である。溝はボルトの全長に沿って、またはボルトの一部に沿って形成されてもよい。好適に、ボルトは周方向において２つまたは３つのそのような溝を備え、これらは周方向において均等に離間されてもよい。ロック機構は、この実施形態においては、ロック要素がくぼみと係合することにより、ネジ接続の緩みを防止するために構成され得る。このように、前述のネジ接続の形状嵌合ロックは、低摩耗を達成することが可能である。
【００４８】
本発明は、前述の実施形態の１つによるルーフラック脚を備えたルーフラックにも関連している。個別の特徴の理解および利点に関して、ルーフラック脚に関連した前述の説明が参照される。
【００４９】
さらなる態様において、本発明は外ネジを備えたボルトの製造方法にも関連しており、このボルトは、好適に前述の実施形態の１つによるルーフラック脚の調節手段と共に使用されることに適している。方法は、好適にボルト軸の方向に延びた溝を、ボルトの側面内に押し込むステップを含んでいる。好適に、方法は２つまたは３つの溝を側面内に押し込むステップを含み、これらの溝は、周方向において等間隔に離間されている。さらに、方法は、外ネジをボルトの側面に切削形成するステップを含んでいる。好適に、ネジの切削形成は、溝の押し込みの後に実行される。個別の特徴の理解および利点に関して、ルーフラック脚に関連した前述の説明が参照される。
【００５０】
さらなる態様において、本発明はバレルナットの製造方法にも関連し、この方法は、好適に前述の実施形態の１つによるルーフラック脚の調節手段と共に使用されることに適している。方法は、バレルナット内にボアを形成するステップを含んでいる。バレルナットは貫通ネジ穴をさらに含み、ボアが貫通ネジ穴内に延びて、例えばそれらの空間的な接続を生じるように、ボアは形成され得る。ボアは、前述の実施形態により構成されてもよい。加えて、方法は、バレルナットとネジ形成されたボルトとの間のネジ接続の緩みを防止するための、ロック要素をボア内に配置するステップを含んでいる。好適に、ボールおよび／またはボールを付勢するためのバネが、ボア内に配置されている。しかしながら、他のロック要素も、前述のようにこれに関して設けられてもよい。加えて、方法は、ロック要素のボアからの脱落を防止するために、クリンチによって端部においてボアの直径を狭めるステップを含んでいる。前述のように、ボアの直径は減少されるか、または完全に閉じられてもよい。好適に、直径を狭めるステップは、ボアを形成した後且つロック要素をボア内に位置決めした後に実行される。個別の特徴およびそれらの利点の理解に関して、ルーフラック脚に関連した前述の説明が参照される。
【図面の簡単な説明】
【００５１】
【図１】実施形態によるロードキャリア脚の側面を示した図である。
【図２】ロードキャリア脚のアセンブリの断面を示した斜視図である。
【図３】実施形態によるホルダを示した斜視図である。
【図４】図３のホルダの断面を示した斜視図である。
【図５】実施形態によるロードキャリアブラケットを示した斜視図である。
【図６】図５のロードキャリアブラケットの断面を示した斜視図である。
【図７】図３のホルダの後面を示した斜視図である。
【図８】図５のロードキャリアブラケットの後面を示した斜視図である。
【図９】ホルダおよびロードキャリアブラケットを備えたアセンブリの上面を示した図である。
【図１０】図９のアセンブリの側面を示した図である。
【図１１】ホルダの断面を示した斜視図である。
【図１２】ロードバーに装着され且つロードキャリアブラケットを備えたロードキャリア脚の断面を示した側面図である。
【図１３】ホルダを示した斜視図である。
【図１４】ロードバーを担持したロードキャリア脚の断面を示した斜視図である。
【図１５】実施形態によるロードキャリアブラケットの上部の側面を示した図である。
【図１６】図１５のロードキャリアブラケットの正面を示した図である。
【図１７】実施形態によるロードキャリアブラケットの側面を示した図である。
【図１８】図１７のロードキャリアブラケットの正面を示した図である。
【図１９】実施形態によるロードキャリアブラケットの側面を示した図である。
【図２０】図１９のロードキャリアブラケットの正面を示した図である。
【図２１】実施形態によるロードキャリアブラケットの側面を示した図である。
【図２２】図２１のロードキャリアブラケットの正面を示した図である。
【図２３】実施形態によるロードキャリアブラケットの側面を示した図である。
【図２４】図２３のロードキャリアブラケットの正面を示した図である。
【図２５】実施形態によるロードキャリアブラケットの側面を示した図である。
【図２６】図２５のロードキャリアブラケットの正面を示した図である。
【図２７】実施形態によるロードキャリアブラケットの側面を示した図である。
【図２８】図２７のロードキャリアブラケットの正面を示した図である。
【図２９】ロードキャリアブラケットおよびホルダを備えたアセンブリを示した斜視図である。
【図３０】ロードキャリアブラケットおよびホルダを備えたアセンブリを示した斜視図である。
【図３１】ロードキャリアブラケットおよびホルダを備えたアセンブリを示した斜視図である。
【図３２】ロードキャリアブラケットおよびホルダを備えたアセンブリを示した斜視図である。
【図３３】本発明の実施形態によるルーフラック脚の側面を示した斜視図である。
【図３４】図３３に示されたルーフラック脚の調節手段の側面を示した斜視図である。
【図３５】図３４の調節手段のバレルナットの側面を示した斜視図である。
【図３６】図３５のバレルナットの側面を示した図である。
【図３７】図３６のバレルナットの長手方向断面を示した図である。
【図３８】図３６のバレルナットの長手方向断面を示した斜視図である。
【図３９】図３４の調節手段のボルトの詳細な側面を示した斜視図である。
【図４０】図３９のボルトの線Ａ−Ａに沿った断面を示した図である。
【発明を実施するための形態】
【００５２】
以下において、実施形態が図を参照して記載される。図中の類似した要素は、同じ参照符号を付されていることが理解される。
【００５３】
図１は、実施形態によるロードキャリア脚２を備えたアセンブリの側面を示した図である。ロードバー３００は、ロードキャリア脚２の上部に支持されている。より正確には、ロードバー３００の外側面３０２が、ロードキャリア脚２の上部に支持されている。さらに、ロードキャリアブラケット７００は、ロードキャリア脚２内に挿入されて、固定的に保持されている。ロードキャリア脚２は、脚パッド３をさらに備えている。脚パッド３は、自動車の屋根上に支持されるように構成されている。図１にさらに示されたように、ロードキャリア脚２は、ロードキャリア脚２の内部機構を覆った前カバー５および後カバー４を備えている。
【００５４】
図２は、ホルダ６、ホルダ６内に挿入され且つホルダ６と連結されたロードキャリアブラケット７００、ロードキャリアブラケット７００に押圧力を加えるための付勢部材６４０、およびその操作部８１においてホルダ６に力を伝達するように連結された締付部材８を備えたアセンブリを示している。
【００５５】
ホルダ６の構成は、図３、図４、および図７を参照してさらに記載される。ホルダ６は、ホルダ６の下部６７内に形成されたスリーブ部６００を備えている。スリーブ部６００は箱形状であり、外壁６０２、内壁６０３、ならびに内壁６０３および外壁６０２を接続した２つの側壁６０５を備えている。
【００５６】
ホルダ６は、金属シートを曲げることによって、記載された形状に一体に形成されている。外壁６０２は、金属シートの２つの結合セクション６１２、６１４によって形成された重ね合わせセクション６０１によって形成されている。結合セクション６１２、６１４は、互いに平行であり且つ互いに接触している。より正確には、結合セクション６１２、６１４は、それらを一体にプレス成形することによって互いに結合されている。本ケースにおいて、結合セクション６１２、６１４は、４つの結合部６０４において一体にクリンチされている。したがって、外壁６０２は、互いに結合された金属シートの２つの層を使用して補強されている。図９および図１３に見られているように、結合セクション６１２、６１４は、重ね合わせフランジとして称されることも可能であり、ホルダの全幅にわたって延びることが可能である。これは図１３にも示されている。図にも見られているように、スリーブ部は、収容空間６３０を包含した、完全に閉じた形状を有し、その内部には、ロードキャリアブラケット７００が少なくとも部分的に収容されることが可能であり、これは図２の構成に示されている。
【００５７】
スリーブ部６００は、両方の長手側において開放されている。換言すると、スリーブ部６００は、下開口部６２２および上開口部６１５を備えている。下開口部６２２は、本ケースにおいては外壁６０２の下端縁である下端縁部６２１によって部分的に形成されている。下端縁部６２１は、この部分がロードキャリアブラケット７００上のホルダ６からの力を伝達するために設けられているため、力負荷セクションとして称されることも可能であり、これは後述される。
【００５８】
ホルダ６が、前述のスリーブ部を備えているので、ホルダ６は大きい力に抵抗することが可能であり、これにより下端縁部６２１を用いてより大きい力を伝達することが可能である。
【００５９】
スリーブ部６００の上開口部６１５は、上端縁部６１９によって部分的に形成されている。上端縁部６１９は内壁６０３の上端縁に対応しており、ロードキャリアブラケット７００との係合のために構成されている。より正確には、上端縁部６１９は凸型に形成されており、ホルダ６の上方向に面した湾曲支持面６２０を備えている。
【００６０】
図にも示されているように、外壁６０２は、ロードキャリア脚２の前側から収容空間６３０へのアクセスを提供するアクセス開口部６５０を備えている。このアクセス開口部６５０は、締付部材８を操作するための工具が、収容空間６３０内に挿入されることが可能なように設計されている。
【００６１】
さらに、ホルダ６は、連結部６４を備えた上部６３を備えている。連結部６４は２つのアーム６１１を備え、各アームは、その内部に旋回ピン６１０を収容するための開口部６１３を備えている。旋回ピン６１０は図１２に示されており、旋回軸Ｐを形成している。換言すると、旋回軸Ｐは、開口部６１３の中心を通じて延びている。したがって、ホルダ６は、旋回軸Ｐの周りに旋回移動するために構成されている。ホルダ６の旋回により、ホルダ６内に挿入されたロードキャリアブラケット７００は締め付けられることが可能であり、これは後述される。
【００６２】
ホルダ６は、締付部材８を支持するための連結セクション６１を備えている。締付部材８は、連結セクション６１への押圧力を連結セクションの操作の際に伝達させる要素である。連結セクション６１は、内壁６０３内に形成された収容凹部６０７を備えている。収容凹部６０７は、球形の形状に形成された支持面６０８を備えている。
【００６３】
開口部６０９は支持面６０８に設けられ、締付部材の一部が内壁６０３を通り抜けることを可能にしている。ここで、開口部は、スリーブ部６００の長手方向に沿って延びた細長い開口部である。細長い開口部は、下開口部６２２を通じて締付部材を挿入することが可能な伸展長さを有することが可能である。この場合、締付部材８が通じて挿入されるアクセス開口部よりも小さいアクセス開口部６５０を設けることが可能である。このことは、スリーブ部６００の剛性を強化する。
【００６４】
したがって、締付部材８の端部を支持面６０８上に支持して、他の端部をさらなる要素に連結することが可能である。したがって、締付部材８は、引張力伝達要素である。より正確には、締付部材８は、操作部８１を備えたシャフトナット（shaft nut）である。
【００６５】
図２および図１２から集約されているように、操作部８１は、六角ソケットの形状の係合セクションを備え、このセクションは、前述のアクセス開口部６５０を通じて到達することが可能である。支持面６０８は、締付部材８を直接支持するために使用されることが可能である。しかしながら、記載された構成においては、中間部材６４２（図２、図１１、および図１２参照）が支持面６０８に設けられ、締付部材８は中間部材６４２上に支持されている。中間部材６４２は、開口部６０９の上部を覆うことが可能であり、これにより締付部材８は、より正確に支持される。中間部材６４２は、より柔らかい材料から形成されることが可能である。本構成においては、中間部材６４２はプラスチックから形成されている。
【００６６】
前述のとおり、付勢部材６４０が設けられている。付勢部材６４０は、収容空間６３０内に収容された弾性要素である。図１１に示された構成においては、付勢部材６４０は、側方からみた場合、フック状の形状を有する。付勢部材６４０は、外壁側から内壁側に向かって収容空間６３０内に突出した接触セクション６４４、および外壁の内側に形成された凹部内に、より正確には内側結合セクション６１４内に収容された支持セクション６４６を備えている。図１１において、付勢部材６４０は負荷を受けていない状態において示されており、したがって、接触セクションは略直線状である。これまでにすでに述べたように、付勢部材６４０は、ロードキャリアブラケットを内壁６０３に向かって押し付けるために、付勢力を挿入されたロードキャリアブラケット７００に加えるように構成されている。これまでに記載したように、付勢部材はプラスチックから形成されることが可能であり、中間部材６４２と一体に形成されることが可能である。
【００６７】
ロードキャリアブラケット７００は、前述のホルダ６と共に使用されることが可能であり、図５、図６、および図８を参照して以下に記載されている。
【００６８】
ロードキャリアブラケット７００は、自動車係合セクション７２０およびトラフ形状の連結部７３０を備えている。自動車係合セクション７２０は、自動車のボディの一部を確実に把持するように構成されている。換言すると、自動車係合セクション７２０は、特定の自動車のボディに適合するように具体的に設計されている。図示されたように、自動車係合セクション７２０は、曲げ部または角度付き部であり、一端においてトラフ形状の連結部７３０に連結される。その他端において、自動車係合セクション７２０は、突出した自由端７２４を備え、その突出方向は、トラフ形状の連結部７３０の長手延伸方向に対して傾斜されているか、または略直交した方向である。自由端７２４には接触面７２２が設けられ、この面は、ロードキャリア脚が自動車の屋根にクランプされた場合に、自動車のボディに対して押し付けられる。自動車係合セクション７２０は、自由端７２４が自動車に設けられた適切な空間、例えば閉じられた自動車のドアと自動車のボディとの間の空間内に挿入されることが可能なように構成されている。
【００６９】
トラフ形状の連結部７３０は、自動車係合セクション７２０からロードキャリアブラケット７００の長手方向に延びている。さらに、トラフ形状の連結部７３０は、ロードキャリア脚２のホルダ６と係合可能なホルダ係合部７１０を備えている。トラフ形状の連結部７３０は漏斗形状であり、ホルダ係合部７１０は、トラフ形状の連結部７３０の狭小端に形成されている。
【００７０】
さらに、トラフ形状の連結部７３０は、その長手方向において連続的に凸状に形成されており、ロードキャリア脚２のホルダ６からの力を受けるように適合された外表面７０２を備えている。この開示の状況において、連続的に凸状に形成されたことは、連続的に膨らみを備えたロードキャリアブラケットを提供する、連続的に凸状に形成された壁部が存在することを意味している。さらに、連続的に凸状に形成されたことは、ロードキャリアブラケットの長手方向のセクションの経路が、一方向のみに湾曲され、且つ反対方向には湾曲部を全く備えていないことを意味している。湾曲されたことは、すべてのセクションが湾曲されなければならないことであると、厳密な意味において理解されるべきではない。むしろ、図に見られているように、略直線状のセクション７０４、７０６が設けられることが可能であり、これらは湾曲セクション７０５によって接続されて、全体的に湾曲した形状となっている。
【００７１】
ロードキャリアブラケットは、中央面に関して少なくともいくつかのセクションにおいて対称に形成されることが可能である。ロードキャリアブラケットは、多様なタイプの自動車に適合しなければならないため、自動車のボディにしたがって自動車係合セクション７２０を形成する必要がある。
【００７２】
したがって、ロードキャリアブラケット７００の下部７０３は、自動車のボディタイプに対応して形成されなければならない。一方で、ロードキャリア脚２の構成は、少なくともロードキャリアブラケット７００の固定および係合について、多様な自動車に関して同じままである。したがって、ホルダ６内に挿入されるロードキャリアブラケット７００の上部７０１は、常に同じ様式で形成されることが可能である。実際に、ロードキャリアブラケット７００のセクション状形成、すなわち上部７０１および下部７０３の別個の形成にはコスト効果がある結果となり、それは、上部７０１の成形に関して１つ且つ同一の工具の使用が可能になるためである。このように、下部７０３を形成するために、それぞれの特別なより小さな工具を提供する必要があるのみである。
【００７３】
トラフ形状の連結部７３０は、ブラケット７００のほぼ全長にわたって延びており、中断していない。換言すると、１つのみのトラフ形状の連結部７３０が設けられている。さらに、トラフ形状の連結部７３０は、少なくとも部分的にボックス状の形状を有する。より具体的には、トラフ形状の連結部７３０は、２つの側壁７１４と、これらの側壁７１４に略直交して配置された底壁７１６と、を備えている。底壁７１６、結果として外表面７０２は凸形状であり、側面からみた場合に、ロードキャリアブラケット７００全体に凸形状を与えている。換言すると、トラフ形状の連結部７３０は、一方向のみにおいて膨らみを与えている。膨らみは、自動車係合セクション７２０の自由端７２４が設けられた側とは反対の、ロードキャリアブラケット７００の側に設けられている。図示された構成においては、底壁７１６は、２つの略平坦なセクション７０４、７０６の間に配置された湾曲セクション７０５を備え、これにより全体的な構成は、一方向のみにおいて湾曲されている。換言すると、底壁７１６は、反対方向に湾曲した部分を備えていない。
【００７４】
ホルダ係合セクション７１０は、ロードキャリアブラケット７００がホルダ６にフックされることが可能であるように構成されている。図示された構成においては、ホルダ係合セクション７１０は２つのフック７１２を備え、これらのフックは、ロードキャリアブラケット７００の横方向に互いに所定の距離だけ離れて配置されている。フック７１２は、ホルダ６のスリーブ部６００の上端縁部６１９と係合可能であるように構成されている。フック７１２および自動車係合セクション７２０の自由端７２４は、ロードキャリアブラケット７００の同じ側から突出した、ロードキャリアブラケット７００の突出部として見なされることが可能である。より正確には、ロードキャリアブラケット７００がロードキャリア脚２に挿入されて、ロードキャリア脚２が自動車に搭載された場合、フック７１２および自由端７２４は、自動車に向かって突出する。換言すると、ロードキャリアブラケット７００はホルダ６内に挿入され、これによりフック７１２は、ホルダの内壁６０３の側に配置される。
【００７５】
前述のロードキャリアブラケット７００がホルダ６内に挿入されたアセンブリは、図２、図９、図１０、図１２、および図２９から図３２に示されている。
【００７６】
ロードキャリアブラケット７００は、ホルダ６内に下から挿入される。ロードキャリアブラケット７００の上部７０１は、下開口部６２２を通じて、ホルダ係合部７１０が上開口部６１５から部分的に突出するまで、スリーブ部６００内に挿入されている。より正確には、ロードキャリアブラケット７００は、フック７１２が上端縁部６１９の上に位置した位置内にもたらされ、これによりフック７１２は、上端縁部６１９の支持面６２０と接触するようになることが可能である。
【００７７】
前述のとおり、ホルダ６は付勢部材６４０を備えている。ブラケットを挿入する際に、付勢部材６４０はロードキャリアブラケット７００の上部７０１と接触して、ホルダ係合部７１０を内向きに、すなわち上端縁部６１９に向かって押圧し、これによりフック７１２は、上端縁部６１９と係合するための位置にもたらされ、そこに保持される。したがって、ロードキャリアブラケットは、上端縁部６１９に確実に保持され、ロードキャリアブラケット７００が移動されて、これによりホルダ係合部７１０が付勢部材６４０の付勢力に対抗して移動した場合にのみ、移動されることが可能である。
【００７８】
以前に述べたように、上端縁部６１９は凸状に湾曲しており、フック７１２は、互いに対して所定の距離だけ離れて配置されている。したがって、ロードキャリアブラケット７００は、２つの異なった位置において上端縁部上に支持されている。上端縁部は、フックが表面６２０上をスライド可能な構成を導いたホルダ係合部７１０の幅よりも、広い幅である。換言すると、ロードキャリアブラケット７００の上部７０１は、ロードキャリアブラケットが上端縁部６１９にヒンジ形式で保持されるように形成されている。このことは、面６２０曲率中心の周りのロードキャリアブラケット７００の旋回動作を可能にしている。このように、ロードキャリアブラケットは、ロードキャリアブラケットがホルダ６を移動させることによって締め付けられた場合に、自動車のボディの形状に従って自身を配向することが可能である。
【００７９】
ロードキャリアブラケット７００が、前述の方法においてホルダ６と係合するとすぐに、ロードキャリアブラケット７００を締め付けるために、ホルダ６は図３の時計回りの方向に旋回軸Ｐの周りに回転されることが可能である。ホルダ６の回転は、ホルダ６の内壁６０３上に支持された締付部材８の操作によって実行される。ホルダ６を移動させることによって、ロードキャリアブラケット７００は、ホルダ６と自動車のボディとの間にクランプされる。より正確には、ホルダ６の下端縁部６２１は、締付部材が締め付けられて、下端縁部６２１がロードキャリアブラケット７００の外表面７０２に接触した状態を引き起こした場合に、自動車に向かって移動させられ、これにより下端縁部６２１は、自動車に向かってロードキャリアブラケットを押し付けるために、湾曲セクション７０５の真上の外表面７０２に接触する。
【００８０】
さらにホルダ６は、旋回軸Ｐも締付工程の間に上向きに移動するように保持される。ロードキャリアブラケット７００がホルダの上端縁部６１９上に支持されているので、ホルダの上方向における移動は、上方向にロードキャリアブラケットを引っ張り、これにより接触面７２２は上向きに移動して、自動車のボディとの堅固な接触をもたらす。ホルダの形状およびブラケットの形状により、より大きいクランプ力を生じさせることが可能である。
【００８１】
図示されたように、ロードキャリアブラケット７００はアクセス開口部７５０を備えている。アクセス開口部７５０は、ロードキャリアブラケット７００が前述の方法においてホルダ６内にフックされた場合に、アクセス開口部７５０がホルダ６のアクセス開口部６５０と整列するように設けられている。両方の開口部が整列するので、開口部を通じて工具を通過させることによって、外側から締付部材８の操作部８１に到達することが可能である。この構成により、締付部材をホルダ６の内壁６０３上に支持することが可能である。さらに、ロードキャリアブラケット７００の挿入の前に、締付部材８をホルダ６内に挿入することが可能である。
【００８２】
ロードキャリアにロードキャリアブラケット７００およびホルダ６を備えた前述のアセンブリの可能な使用は、図１２に示されている。ロードキャリアは、ロードキャリア脚２に連結されたロードバー３００を備えている。ロードキャリア脚２は、前述のホルダ６を備えている。さらに、前述のロードキャリアブラケット７００は、ホルダ６内に挿入されている。ロードキャリア脚２は、ロードキャリアが装着された場合に、自動車の屋根と接触するようになる脚パッド３を備えている。ホルダ６は、ロードキャリア脚２の締付機構５００と操作可能に連結されている。締付機構５００は、締付部材８によって操作される。締付機構５００は、前述の方法によるホルダ６の旋回軸Ｐの周りの移動を実行し、且つ締付部材８が操作された場合に、ロードキャリア脚２へのロードバー３００の確実なロックためにロック機構２００を操作するように構成されている。そのために、締付部材８は、締付機構５００の力分散部材内に旋回可能に保持されたピン５１５とネジ係合している。力分散部材は、２つの機器セクションに入力を伝達する。
【００８３】
図１４は、ロードバー３００、ロードバー３００を支持したロードキャリア脚２、およびロードキャリアブラケット７００を備えたロードキャリアの断面斜視図を示している。ロードキャリア脚２は、ロードバー３００をロードキャリア脚２にロックするための、より正確にはロードバー３００を、後カバー４の一部である、ロードキャリア脚２の支持部４０２にクランプするためのロック機構２００を備えている。開示された構成においては、支持部４０２は、ロードキャリア脚２の後カバー４の一体化された部分である。後カバー４は、その上にロードバーを支持するための支持部材４００としても見なされることが可能である。支持部４０２は、後カバー４内に形成された支持面４０６を備えている。したがって、後カバー４は、ロードバー３００を支持するための支持部として作用する。換言すると、ロードバー３００は、後カバー４の上部に支持されている。後カバー４は、脚パッド３上に支持されている。より正確には、後カバー４は、脚パッド３と係合する連結部４１を備えている。この連結部は、図１２および図１４に示されている。脚パッド３は、自動車の屋根に接触して自動車の屋根に荷重を伝達するように形成されている。後カバーは脚パッド上において移動可能、例えば回転可能に支持されている。より正確には、後カバーの下部は、脚パッド３の上側に支持されるように具体的に設計されることが可能である。したがって、後カバー４は、ロードバー３００から脚パッド３へと受けられる荷重を伝達することが可能である。このようにして、ロードバー３００によってロードキャリア脚２に加えられる垂直力の大部分は、後カバーによって脚パッド３に直接伝達される。その構成は、脚パッド３が後カバーのみから力を受けるようになっている。
【００８４】
ロードキャリアブラケットのさらなる実施形態は、図１５から図２８を参照して以下に記載されている。
【００８５】
図１５は、ロードキャリアブラケット７００の上部７０１の側面を示している。この上部７０１は、図５、図６、および図８を参照して記載されたように形成されており、さらに記載された実施形態においても同一である。図１５において、線Ｌ１は上部７０１の第１特性を示している。より正確には、ブラケット７００は、側面からみた場合に、ホルダ係合部７１０から下部７０３に向かって拡大されている。換言すると、側壁７１４の幅は、上部７０１の下端を示した前述の湾曲セクション７０５に向かって増大している。上部７０１と下部７０３との間の境界は、図１５に示されたように下端部によって形成され、ロードキャリアブラケット７００の上部７０１の正面図である図１６において線Ｌ２によって示されている。側壁７１４は、ホルダ６に形成された収容空間６３０に適合するために、ロードキャリアブラケット７００の長手方向に対して傾斜されることが可能である。より正確には、側壁７１４は、前述のホルダの側壁の場合のように正面から見た場合、ロードキャリアブラケット７００が、ホルダ係合部７１０から下部７０３に向かって拡大されるような角度に配置されている。側壁の傾斜は、図１６の線Ｌ５および線Ｌ８によって示されている。さらに図１６に示されているように、上部７０１は側壁セクションを備え、この側壁セクションは、互いに平行に且つロードキャリアブラケット７００の長手延伸方向に平行に形成されている。これらの側壁セクションは、ホルダ係合部７１０の領域内且つ上部７０１の反対側の上部７０１の下端に形成されている。側壁セクションの延びは、Ｌ３、Ｌ４、Ｌ６、およびＬ７によって示されている。
【００８６】
下部７０３は、実施形態ごとに異なっている。より正確には、下部７０３は、多様な自動車に適合するように、個々に形成されている。ロードキャリアブラケット７００の形状、すなわち下部７０３の形状の例は、図１７から図２８に示されている。形状は、例えば下部７０３の形式のトラフ形状の連結部に従って、および自動車係合セクション７２０に従って、下部７０３において変化している。大部分の形状は、前述のように全体的に追従しており、凸形状である。例えば、図２３においては、湾曲セクション７０５は、他の実施形態と比較して、反対方向に曲げられた実施形態を示している。
【００８７】
図３３は、本発明の実施形態によるルーフラック脚２０００を示した斜視図である。ルーフラック脚２０００を用いて、例えばクロスバーのようなルーフラックのプロファイル要素は、自動車の屋根に取り付けられることが可能である。この目的のために、本実施形態によるルーフラック脚２０００は、第１クランプ要素２００１および第２クランプ要素２００２を備え、これらの要素は継手／ヒンジ２００３を通じて互いに回転可能に接続されている。自動車のルーフに設けられたルーフレールまたは任意の他のタイプの要素は、例えばクランプ要素２００１とクランプ要素２００２との間にクランプされ得る。上側において、ルーフラック脚２０００、ここでは特に第２クランプ要素２００２は支持面２００４を形成し、この面上にプロファイル要素、例えばクロスバーが載置されることが可能である。固定要素２００５を用いて、プロファイル要素は、ルーフラック脚２０００の支持面２００４に取り外し可能に取り付けられ得る。
【００８８】
第１クランプ要素２００１および第２クランプ要素２００２は、調節手段１０００を通じて互いに対して調節され得る。より正確には、調節手段１０００を作動させることにより、クランプ力が、クランプ要素２００１および２００２を通じて、ルーフレールのような自動車の屋根に固定された要素に加えられ得る。強い振動が発生しても、このクランプ力が動作中に維持される場合、調節手段が緩み／解放し、クランプ要素２００１および２００２が互いから離れるように移動し、これがクランプ力の減少に帰結することは、防止されるに違いない。
【００８９】
図３４は、図１からの調節手段１０００を示した側面斜視図である。調節手段１０００は、バレルナット１００２およびボルト１００３を備えている。図３３に示されたように、バレルナット１００２は、第２クランプ要素２００２の開口部２００６内に設けられている。その一方で、調節手段１０００のボルト１００３は、第１クランプ要素２００１のスロット２００７を通じて突出し、以下に記載されているように、第２クランプ要素２００２から見て外方に向いた第１クランプ要素２００１の側に、ヘッド１０２１を伴って配置されている。ボルト１００３は、図３３および図３４に示されたように、バレルナット１００２内にねじ込まれている。バレルナット１００２内へのボルト１００３のさらなるねじ込みにより、クランプ要素２００１および２００２は、個々にクランプ操作を開始してクランプ力を増加させるために、継手２００３を通じて互いに向かってさらに旋回されることが可能である。しかしながら、ボルト１００３がバレルナット１００２からねじ戻された場合、クランプ要素２００１および２００２は互いから離間され、クランプ力は減少され得る。
【００９０】
図３５および図３６に示されたように、バレルナット１００２は円形断面を有し、バレルナットの長さは、バレルナット１００２の直径の１．５倍よりも大きく、好適に１．７倍よりも大きく、より好適に１．８倍よりも大きくし得る。バレルナット１００２は、第１側面１００５および第２側面１００６と同様に側面１００４を備えている。本実施形態においては、バレルナット１００２、ひいては側面１００４は、一定の直径と共に形成され、側面１００５および１００６は、互いに平行に配置されている。したがって、本実施形態のバレルナット１００２は、円筒形ナットとして設計されている。加えて、バレルナット１００２はバレル軸Ｆを備え、この軸は、本実施形態においてはバレルナット１００２の対称軸である。対称軸は、図３６に示されている。
【００９１】
加えて、バレルナット１００２は、本ケースにおいてはバレル軸Ｆに直交して延びた貫通ネジ穴１００７を備えている。貫通ネジ穴１００７は、その中心軸がバレル軸Ｆと交差するように、配置され且つ構成されている。本実施形態においては、貫通ネジ穴１００７は、側面１００５と側面１００６との間の中央に配置されている。貫通ネジ穴１００７は内ネジ１００８を備え、好適に側面１００４に向かった一側または両側に、例えば面取りを有するネジの逃げ１００９が設けられている。
【００９２】
加えて、バレルナット１００２は、バレル軸Ｆと同軸に形成されたボア１０１０を備えている。本実施形態においては、ボア１０１０は側面１００５からバレルナット１００２内へと、且つ貫通ネジ穴１００７まで延びている。ボア１０１０は、貫通ネジ穴１００７への空間的接続を生じさせるように構成されている。貫通ネジ穴１００７のすぐ隣の領域において、ボア１０１０は狭窄部１０１１を備え、その内部において、ボア１０１０の直径は、貫通ネジ穴１００７に向かって連続的に減少している。ボア１０１０の直径は、貫通ネジ穴１００７から見て外方に向いた端部においても、クリンチ法を用いて減少されている。これにより、クリンチ部１０１４が形成されている。本実施形態においては、ボア１０１０の直径は、クリンチ法によって完全には閉じられているのではなく、約半分に減少されているのみである。
【００９３】
クリンチ部１０１４はボア１０１０内部の所定の位置に圧縮バネ１０１３を備え、このバネを介して、ボール１０１２は貫通ネジ穴１００７に向かって付勢されている。ボール１０１２は、ロック要素に相当している。換言すると、バレルナット１００２は、ボール１０１２が圧縮バネ１０１３を用いて貫通ネジ穴１００７に向かって付勢され得、バネ１０１３は、クリンチ部１０１４に支持され得るように構成されている。図３６から図３８に示されたように、狭窄部１０１１は、そのプロファイルがボール１０１２の直径に適合されており、これによりボール１０１２はボア１０１０内に共に維持されているが、ボールが狭窄部１０１１と接触した場合、貫通ネジ穴１００７内に突出する。
【００９４】
加えて、調節手段１０００はボルト１００３を備え、それは図３９に詳細に示されている。ボルト１００３は、本ケースにおいては対称に設計されたボルト軸Ｂを備えている。調節手段を作動させるための界面１０２２は、好適に工具のための、特に六角形の界面であり、ボルトの一端に設けられたボルトヘッド１０２１内に形成されている。側部１０２０は、ボルト軸Ｂの方向においてボルトヘッド１０２１に接続している。第一に、側部１０２０は、ボルトヘッド１０２１に隣接した外ネジの無い部分１０２６を示している。この部分１０２６は、側部１０２０の全長の約２０％とし得る。側部に形成された外ネジを備えたネジ部１０２５は、部分１０２６に隣接し得る。ネジ部１０２５は、側部１０２０の全長の約６５％とし得る。溝１０２４はネジ部１０２４に隣接し、続いて端部要素１０２３に対して当接し得る。端部要素１０２３は、ボルトヘッド１０２１から見て外方に向いた、ボルト１００３の端部に設けられ、ネジの無い部分１０２６と同じ外径を有し得る。加えて、ネジ部１０２５は、部分１０２３および１０２６と同じ外径を有し得る。バレルナット１００２をボルト１００３へとねじ込むことを可能にするように、端部要素１０２３が取り外されることを可能にするために、端部要素１０２３がボルト１００３に取り外し可能に形成されることが考えられる。続いて、端部要素１０２３はボルト１００３にねじ込まれて、ボルト１００３が、例えばバレルナット１００２から完全にねじ外されることを防止し得る。
【００９５】
加えて、本実施形態のボルト１００３は、３つの溝１０２７、１０２７．１、および１０２７．２を備え、これらはネジ部１０２５の全体に沿ってボルト軸Ｂに平行に延びている。３つの溝１０２７、１０２７．１、および１０２７．２は、図４０の断面図に示されている。図４０に示されたように、溝１０２７、１０２７．１、および１０２７．２は、ボルト１００３の側面１０２０に形成されている。
【００９６】
本実施形態のルーフラック脚２０００の調節手段１０００は、バネ１０１３を通じて貫通ネジ穴１００７に向かって付勢された、バレルナット１００２のボール１０１２が、溝１０２７、１０２７．１、および１０２７．２と共に形状嵌合を形成するために、溝１０２７、１０２７．１、および１０２７．２内に貫入することが可能であるように構成されている。調節手段１０００が調節されて、クランプ要素２００１と２００２との間の距離を増加または減少する場合、ボルト１００３は、バネ１０１３のバネ力に対抗して回転され、溝１０２７、１０２７．１、および１０２７．２の外側にボール１０１２を押さなければならない。したがって、ボール１０１２と溝１０２７、１０２７．１、および１０２７．２との間の形状嵌合は、ロック機構を提供し、ルーフラック脚２０００が強い振動を受けた場合であっても、ボルト１００３とバレルナット１００２と間のねじ接続が緩むことを防止している。
【００９７】
バレルナット１００２の製造に関して、最初に貫通ネジ穴１００７のためのボアが、バレルナット１００２に形成される。続いて、内ネジ１００８が貫通ネジ穴１００７に切られる。次の段階において、ボア１０１０がバレルナット１００２の側面１００５から形成され、狭窄部１０１１が、円錐ドリルおよび／またはフライス工具を用いて形成される。続く段階において、ボール１０１２およびバネ１０１３は、ボア１０１０が、クリンチによって側面１００５において直径を減少されて、バネ１０１３の支持面としてクリンチ部１０１４を形成し、バネ１０１３およびボール１０１２がボア１０１０から脱落することを回避する前に、ボア１０１０内に配置される。ボルト１００３の製造に関して、最初に溝１０２７、１０２７．１、および１０２７．２が、側部１０２０の側面内に押し込まれる。続いて、外ネジ１０２７が側面に切られ、その内部に溝１０２７、１０２７．１、および１０２７．２が形成される。
【００９８】
図３３から図４０に関連して記載された調節機構１０００は、図１から図３２に関連して記載された任意の実施形態と共に使用されてもよい。例えば、締付機構５００は調節機構１０００と同様に形成されてもよく、締付部材８はボルト１００３と同様に、およびピン５１５はバレルナット１００２と同様に形成されてもよい。
【００９９】
本発明は、以下の番号を付された節により定義されてもよい。
【０１００】
節１
調節手段（１０００）を備えたルーフラック脚（２０００）であって、前記調節手段は、好適に前記ルーフラック脚（２０００）を自動車の屋根にクランプするためのクランプ手段（２００１、２００２）の一部であり、前記調節手段（１０００）は、外ネジ（１０２５）を備えたボルト（１００３）と、好適に円筒形ナットである、バレル軸（Ｆ）を備えたバレルナット（１００２）であって、前記バレルナットは貫通ネジ穴（１００７）を備え、該貫通ネジ穴はバレル軸（Ｆ）に対して傾斜され、好適にバレル軸（Ｆ）に対して直交するように配向されており、前記バレルナット（１００２）は、前記貫通ネジ穴（１００７）を通じて前記ボルト（１００３）の外ネジ（１０２５）にねじ込まれるように構成された、バレルナット（１００２）と、前記ボルト（１００３）と前記バレルナット（１００２）との間のねじ接続の緩みを防止するためのロック機構（１０１０、１０１２、１０１３、１０２７）と、を備えているルーフラック脚（２０００）。
【０１０１】
節２
前記ロック機構は、前記貫通ネジ穴（１００７）内に延びた、前記バレルナット（１００２）内のボア（１０１０）を備え、該ボア（１０１０）は好適にバレル軸（Ｆ）に沿って延び、前記ねじ接続のゆるみを防止するためのロック要素（１０１２）は、前記ボア内に移動可能に設けられ、前記ロック要素（１０１２）は、バネ要素（１０１３）によって前記貫通ネジ穴（１００７）に向かって好適に付勢されている、節１に記載のルーフラック脚（２０００）。
【０１０２】
節３
前記ボア（１０１０）は、前記貫通ネジ穴（１００７）から見て外方に向いた端部において、前記ロック要素（１０１２）および／または前記バネ（１０１３）が前記ボア（１０１０）から脱落することを防止するために、クリンチによって狭められている、節２に記載のルーフラック脚（２０００）。
【０１０３】
節４
ボール（１０１２）および前記ボア（１０１０）から形成された前記ロック要素は、前記ボール（１０１２）が前記ボア（１０１０）から脱落することを防止するための、前記貫通ネジ穴（１００７）に隣接したテーパ部（１０１１）を備えている、節２または３に記載のルーフラック脚（２０００）。
【０１０４】
節５
前記ロック機構は、前記ボルト（１００３）内に形成されたくぼみ（１０２７）を備え、前記ロック要素（１０１２）の前記くぼみ（１０２７）との係合によって前記ねじ接続の緩みを防止するように構成されている、節２から４のいずれか一節に記載のルーフラック脚（２０００）。
【０１０５】
前記ボルト（１００３）のくぼみ（１０２７）は、好適に前記ボルト軸（Ｂ）に沿って延びた溝（１０２７）として形成されており、前記ボルト（１００３）は２つまたは３つの溝（１０２７、１０２７．１、１０２７．２）を好適に備え、該溝は、好適に周方向に等間隔に離間されている、節５に記載のルーフラック脚（２０００）。
【０１０６】
節１から６のいずれか一節に記載のルーフラック脚（２０００）を備えたルーフラック。
【０１０７】
節８
外ネジ（１０２５）を備えたボルト（１００３）を製造するための方法であって、前記ボルト（１００３）は、好適に節１から６のいずれか一節に記載のルーフラック脚（２０００）の調節手段（１０００）と共に使用されることに適しており、前記ボルト（１００３）の側面において前記ボルト軸（Ｂ）の方向に好適に延びた溝（１０２７）を押し込むステップを含み、周方向において好適に等間隔に離間された好適に２つまたは３つの溝（１０２７、１０２７．１、１０２７．２）が、前記側面に押し込まれ、好適に引き続いて、前記ボルト（１００３）の側面に外ネジ（１０２５）を切るステップを含んでいる方法。
【０１０８】
節９
バレルナット（１００２）を製造するための方法であって、前記バレルナット（１００２）は、好適に節１から６のいずれか一節に記載のルーフラック脚（２０００）の調節手段（１０００）と共に使用されることに適しており、前記バレルナット（１００２）にボア（１０１０）を形成するステップと、前記バレルナット（１００２）とネジ付きボルト（１００３）との間のねじ接続の緩みを防止するために、ロック要素（１０１２）、好適にボール（１０１２）および／または該ボール（１０１２）を付勢するためのバネ（１０１３）を前記ボア（１０１０）内に位置決めするステップと、好適に引き続いて、前記ロック要素（１０１２）が前記ボア（１０１０）から脱落することを防止するために、クリンチを利用して一端において前記ボア（１０１０）の直径を狭めるステップと、を含んでいる方法。
【符号の説明】
【０１０９】
２  ・・・ロードキャリア脚
３  ・・・脚パッド
４  ・・・後カバー
５  ・・・前カバー
６  ・・・ホルダ
８  ・・・締付部材
６１  ・・・連結セクション
６３  ・・・上部
６４  ・・・連結部
８１  ・・・操作部
２００  ・・・ロック機構
３００  ・・・ロードバー
４００  ・・・支持部材
４０２  ・・・支持部
５００  ・・・締付機構
６００  ・・・スリーブ部
６０１  ・・・重ね合わせセクション
６０２  ・・・外壁
６０３  ・・・内壁
６０５  ・・・側壁
６０７  ・・・収容凹部
６０８  ・・・支持面
６１０  ・・・旋回ピン
６１１  ・・・アーム
６１５  ・・・上開口部
６１９  ・・・上端縁部
６２０  ・・・湾曲支持面
６２１  ・・・下端縁部
６２２  ・・・下開口部
６３０  ・・・収容空間
６４０  ・・・付勢部材
６４２  ・・・中間部材
６５０  ・・・アクセス開口部
７００  ・・・ロードキャリアブラケット
７０２  ・・・外表面
７０５  ・・・湾曲セクション
７１０  ・・・ホルダ係合部
７１２  ・・・フック
７１４  ・・・側壁
７１６  ・・・底壁
７２０  ・・・自動車係合セクション
７２２  ・・・接触面
７２４  ・・・自由端
７３０  ・・・トラフ形状の連結部
７５０  ・・・アクセス開口部
６３０  ・・・収容空間
１０００  ・・・調節手段
１００２  ・・・バレルナット
１００３  ・・・ボルト
１００４  ・・・側面
１００５  ・・・第１側面
１００６  ・・・第２側面
１００７  ・・・貫通ネジ穴
１０１０  ・・・ボア
１０１１  ・・・狭窄部
１０１２  ・・・ボール
１０１３  ・・・圧縮バネ
１０１４  ・・・クリンチ部
１０２０  ・・・側部
１０２１  ・・・ボルトヘッド
１０２２  ・・・界面
１０２３  ・・・端部要素
１０２４  ・・・溝
１０２５  ・・・ネジ部
２０００  ・・・ルーフラック脚
２００１  ・・・第１クランプ要素
２００２  ・・・第２クランプ要素
２００３  ・・・継手／ヒンジ
２００４  ・・・支持面
２００５  ・・・固定要素
【要約】
自動車上にロードバーを支持するためのロードキャリア（２）脚、ロードキャリア脚（２）を自動車に連結するためのロードキャリアブラケット（７００）、ならびにそのようなロードキャリア脚（２）およびロードキャリアブラケット（７００）を備えたロードキャリアが開示されている。ロードキャリア脚（２）は、ロードキャリアブラケット（７００）を受けるように形成されたホルダを備えている。ホルダは、ロードキャリアブラケット（７００）を部分的に収容するように構成された収容空間を形成したスリーブ部（６００）を備えている。【図１】
0006748331.tif 000002
【図２】
0006748331.tif 000003
【図３】
0006748331.tif 000004
【図４】
0006748331.tif 000005
【図５】
0006748331.tif 000006
【図６】
0006748331.tif 000007
【図７】
0006748331.tif 000008
【図８】
0006748331.tif 000009
【図９】
0006748331.tif 000010
【図１０】
0006748331.tif 000011
【図１１】
0006748331.tif 000012
【図１２】
0006748331.tif 000013
【図１３】
0006748331.tif 000014
【図１４】
0006748331.tif 000015
【図１５】
0006748331.tif 000016
【図１６】
0006748331.tif 000017
【図１７】
0006748331.tif 000018
【図１８】
0006748331.tif 000019
【図１９】
0006748331.tif 000020
【図２０】
0006748331.tif 000021
【図２１】
0006748331.tif 000022
【図２２】
0006748331.tif 000023
【図２３】
0006748331.tif 000024
【図２４】
0006748331.tif 000025
【図２５】
0006748331.tif 000026
【図２６】
0006748331.tif 000027
【図２７】
0006748331.tif 000028
【図２８】
0006748331.tif 000029
【図２９】
0006748331.tif 000030
【図３０】
0006748331.tif 000031
【図３１】
0006748331.tif 000032
【図３２】
0006748331.tif 000033
【図３３】
0006748331.tif 000034
【図３４】
0006748331.tif 000035
【図３５】
0006748331.tif 000036
【図３６】
0006748331.tif 000037
【図３７】
0006748331.tif 000038
【図３８】
0006748331.tif 000039
【図３９】
0006748331.tif 000040
【図４０】
0006748331.tif 000041